(57)【要約】【課題】液晶表示装置の周辺領域に現れる表示ムラを抑制する。【解決手段】アレイ基板４０と対向基板２０それぞれの液晶１側に配置される配向膜１１をシール材３０から０．２ｍｍ以上離れた位置までしか形成しない。これにより、液晶セルの剥離強度を確保することができる。また、配向膜１１が形成されていない周辺領域を覆うように光学濃度が４．３〜４．９の遮蔽膜２を形成する。これにより、周辺領域における表示ムラが外部から視認できないようにすることができる。【選択図】図１
2008015254.tif 000002
【特許請求の範囲】
【請求項１】
対向して配置された対向基板とアレイ基板との間に液晶を挟んだ液晶セルと、高輝度のバックライト装置とを有する液晶表示装置であって、
前記対向基板と前記アレイ基板とを対向して接着するために、表示に寄与しない周辺領域に配置されたシール材と、
前記対向基板および前記アレイ基板それぞれの液晶層側に、前記シール材から離れた位置に配置された配向膜と、
前記対向基板の前記周辺領域に、前記配向膜が配置されていない部分を覆うように配置された遮蔽膜と、
前記遮蔽膜の内側の表示に寄与する表示領域に配置されたカラーフィルタと、を有し、
前記遮蔽膜は黒色樹脂で形成されており、光学濃度が４．３以上４．９以下であることを特徴とする液晶表示装置。
【請求項２】
前記配向膜は、前記シール材から０．２ｍｍ以上離れて形成されていることを特徴とする請求項１記載の液晶表示装置。
【請求項３】
前記バックライト装置の輝度は、３０００ｃｄ／ｍ2以上であることを特徴とする請求項１又は２記載の液晶表示装置。
【発明の詳細な説明】
【技術分野】
【０００１】
本発明は、遮光層を有する液晶表示装置に関する。
【背景技術】
【０００２】
液晶表示装置は、薄型、軽量、低消費電力である等の様々な特徴を有しており、ＯＡ機器、情報端末、時計およびテレビ等の様々な用途に応用されている。特に、薄膜トランジスタ（ＴＦＴ:Thin Film Transistor）を用いた液晶表示装置は、高画質性能であることから、携帯テレビやコンピュータなどのように多量の情報を表示するモニタとして用いられている。
【０００３】
近年、情報量の増加に伴い、画像の高精細化や表示速度の高速化に対する要求が高まっている。これら要求のうち画像の高精細化は、例えば、ＴＦＴが形成するアレイ構造を微細化することによって実現されている。高速化は、液晶セルの表示モードを垂直配向（ＶＡＮ：Vertical Aligned Nematic）モードにすることによって実現されている。液晶セルの表示モードのうち、垂直配向モードは、従来のＴＮ（Twisted Nematic）モードよりも速い応答速度を得ることができ、しかも、静電気破壊などの不良を発生させるラビング処理が不要という特徴を有している。なかでも、マルチドメイン型ＶＡＮモード（ＭＶＡ：Multi-domain Vertical Alignment）は、視野角の拡大が比較的容易なことから広く用いられている。ＭＶＡモードは、例えば、単位画素内に突起を設けるなどして、液晶層に電圧を印加した際に液晶分子を複数方位に配向分割をして、視覚特性の対称性改善と反転現象の抑止を実現している。特許文献１は、従来のＭＶＡ技術の代表的な例である。
【０００４】
図３は、従来のＭＶＡモードの液晶表示装置の構成を示す断面図である。同図に示す液晶表示装置は、対向して配置された対向基板２０とアレイ基板４０との間に液晶１を挟む構造の液晶セルと、光源５１と導光板５０からなるバックライト装置とを有する透過型の液晶表示装置である。対向基板２０とアレイ基板４０それぞれの液晶１側には、透明電極１３と、液晶１の配向を制御するための配向膜１４が形成され、対向基板２０の透明電極１３と配向膜１４との間には突起１２が形成されている。この突起１２により液晶分子が異なる方向を向いて並ぶので、特定方向のみに視野が限られることがない。また、対向基板２０の表示に寄与する表示領域には、各画素に対応したカラーフィルタ２１が形成され、表示領域の外縁の表示に寄与しない周辺領域には、光学濃度３．６の遮蔽膜２２が形成されている。なお、特許文献２には、シール材と透明電極との間に非導電膜を備えることによりリークの発生を防止するとともに、剥がれ強度を増す技術が開示されている。
【特許文献１】特開平１１−２５８５６０６号公報
【特許文献２】特開２００５−１２２１０８号公報
【発明の開示】
【発明が解決しようとする課題】
【０００５】
しかしながら、図３に示すような液晶表示装置では、シール材３０まで配向膜１４が積層されているので、シール材３０と配向膜１４との密着性が悪く、対向基板２０とアレイ基板４０の剥離強度は１３．７Ｎ程度であり、剥がれが生じたりする場合があった。
【０００６】
また、図４に示すように、配向膜１１をシール材３０から離れた位置までしか形成しない場合には、剥離強度は１７．６Ｎ程度まで上昇するが、配向膜１１が設けられていないシール材３０近辺では、液晶分子が一定方向に配列されていないため常に光を透過させる白表示の状態となり、液晶セルの周辺領域において表示ムラとして現れていた。
【０００７】
近年では液晶表示装置の外枠が細いものが好まれていることにより、以前は外枠に覆われていた液晶セルの周辺領域が外部に露出し視認されるようになり、さらに、バックライトの高輝度化が進んだことにより、いままでは目立たなかった液晶セルの周辺領域における光学的不良による表示ムラが目立つようになった。
【０００８】
本発明は、上記に鑑みてなされたものであり、その課題とするところは、液晶表示装置の剥離強度を落とすことなく、液晶表示装置の周辺領域の表示ムラが外部から視認できないようにすることにある。
【課題を解決するための手段】
【０００９】
本発明に係る液晶表示装置は、対向して配置された対向基板とアレイ基板との間に液晶を挟んだ液晶セルと、高輝度のバックライト装置とを有する液晶表示装置であって、対向基板とアレイ基板とを対向して接着するために、表示に寄与しない周辺領域に配置されたシール材と、対向基板およびアレイ基板それぞれの液晶層側に、シール材から離れた位置まで配置された配向膜と、対向基板の周辺領域に、配向膜が配置されていない部分を覆うように配置された遮蔽膜と、遮蔽膜の内側の表示に寄与する表示領域に配置されたカラーフィルタと、を有し、遮蔽膜は黒色樹脂で形成されており、光学濃度が４．３以上４．９以下であることを特徴とする。
【００１０】
本発明にあっては、配向膜をシール材から離れた位置までしか形成しないことで、液晶セルの剥離強度を確保することができる。また、配向膜が形成されていない周辺領域を覆うように、光学濃度が４．３〜４．９の遮蔽膜を形成することで、周辺領域における表示ムラが外部から視認できないようにすることができる。
【００１１】
ここで、配向膜は、シール材から０．２ｍｍ以上離れて形成されていることが、液晶セルの剥離強度を確保するうえで望ましい。
【００１２】
上記液晶表示装置において、バックライト装置の輝度は、３０００ｃｄ／ｍ2以上であることを特徴とする。
【発明の効果】
【００１３】
本発明によれば、液晶表示装置の剥離強度を落とすことなく、液晶表示装置の周辺領域の表示ムラが外部から視認できないようにすることができる。
【発明を実施するための最良の形態】
【００１４】
以下、本発明の実施の形態について図面を用いて説明する。
【００１５】
図１は、本実施の形態における液晶表示装置の構成を示す断面図である。同図に示す液晶表示装置は、対向して配置された対向基板２０とアレイ基板４０との間に液晶１を挟む構造の液晶セルと、光源５２と導光板５３とにより構成される３０００ｃｄ／ｍ2以上の高輝度のバックライト装置５を有する液晶表示装置であり、バックライト装置５から放射された光をアレイ基板４０側から入射し、液晶１を透過して、対向基板２０に形成されたカラーフィルタ２１により着色して表示をする透過型の液晶表示装置である。対向基板２０とアレイ基板４０の外側には、偏光板６０が設けられており、特定方向に振動する光だけを通過させる。液晶１に電圧を印加することにより液晶分子の状態を変化させ、偏光板６０を通過する光を制御する。なお、実際には、その他にも薄膜トランジスタ、配線等を備えているが、同図においては説明の便宜上省略してある。
【００１６】
対向基板２０は、液晶１側に、表示に寄与する表示領域にカラーフィルタ２１と、表示領域の外縁の表示に寄与しない周辺領域に遮蔽膜２と、カラーフィルタ２１および遮蔽膜２の上にカラーフィルタ２１の表面を平坦化するためのオーバーコート層２３とを備え、オーバーコート層２３の上に、透明電極１０と、配向膜１１および突起１２を備える。アレイ基板４０は液晶１側に透明電極１０と配向膜１１とを備えている。対向基板２０とアレイ基板４０とは対向して配置され、周辺領域においてシール材３０により接着されている。剥離強度を向上させるために、対向基板２０とアレイ基板４０に形成された配向膜１１および透明電極１０は、シール材３０から０．２ｍｍ以上離して形成される。シール材３０近辺の配向膜１１が形成されていない部分は、液晶分子が一定方向に配列されないことにより、常に光を透過させる白表示となるので、表示に寄与しない。
【００１７】
配向膜１１は、液晶分子を一定方向に配列させるための膜であり、カラーフィルタ２１により形成された表示領域に対応して配置されている。液晶１は負の誘電率異方性液晶であり、液晶１に電圧を印加していない状態での液晶分子は、配向膜１１により、液晶分子の長軸が基板面に対してほぼ垂直になる。また、突起１２により液晶分子が異なる方向を向いて並ぶので、特定の方向のみに視野が限られることがなく、視野角が拡大される。
【００１８】
遮蔽膜２は、配向膜１１が形成されていない周辺領域を覆うように対向基板２０に配置され、不要な光がもれるのを防いでいる。遮蔽膜２の光学濃度は４．３〜４．９であり、樹脂に黒色顔料を混ぜて固めることにより形成される。遮蔽膜２に光学濃度の高いものを使用することにより、高輝度のバックライト装置５を使用しても液晶セルの周辺領域から光がもれることなく、表示ムラをなくすことができる。
【００１９】
図２は、光学濃度と遮蔽膜２の強度を示すグラフである。縦軸は光学濃度（Optical Density：ＯＤ値）、横軸は遮蔽膜の強度を示している。同図の符号２００に示すように、遮蔽膜２の光学濃度と強度とは反比例の関係であることが分かる。これは、遮蔽膜２の光学濃度は、樹脂に混ぜる黒色顔料を増加させることにより高くなるが、無機物である黒色顔料の量が多くなるともろくなってしまうからである。
【００２０】
符号２０１で示した点における剥離強度は１７．６Ｎであり、図４に示した従来の液晶表示装置と同等の剥離強度である。強度が符号２０１より左側に位置する場合には、従来の液晶表示装置よりも剥離強度が低いことになる。符号２０１で示す点における強度を持つ遮蔽膜２のＯＤ値は、符号２１１で示す点となり、４．９である。したがって、ＯＤ値が４．９より高い遮蔽膜２では、剥離強度が従来の液晶表示装置よりも低くなってしまう。また、符号２１０で示した点におけるＯＤ値は、４．３である。符号２１０で示した点よりも低いＯＤ値を持つ遮蔽膜２では、液晶セルの周辺領域に表示ムラが確認された。これにより、遮蔽膜２のＯＤ値が４．３〜４．９の範囲内である場合は、剥離強度を落とすことなく、液晶セルの周辺領域に表示ムラが現れない液晶表示装置を得ることができる。
【００２１】
したがって、本実施の形態によれば、アレイ基板４０と対向基板２０それぞれの液晶１側に配置される配向膜１１をシール材３０から０．２ｍｍ以上離れた位置までしか形成しないことにより、液晶セルの剥離強度を確保することができる。また、配向膜１１が形成されていない周辺領域を覆うように光学濃度が４．３〜４．９の遮蔽膜２を形成することにより、周辺領域における表示ムラが外部から視認できないようにすることができる。
【００２２】
本実施の形態によれば、黒色樹脂を用いて遮蔽膜２を形成することにより、遮蔽膜２の光学濃度の調整は、樹脂にまぜる黒色顔料の量を調整するだけでよいので、コストの上昇を伴わない。
【図面の簡単な説明】
【００２３】
【図１】一実施の形態における液晶表示装置の構成を示す断面図である。
【図２】遮蔽膜の光学濃度と剥離強度との関係を示すグラフである。
【図３】従来の液晶表示装置の構成を示す断面図である。
【図４】従来の別の液晶表示装置の構成を示す断面図である。
【符号の説明】
【００２４】
１…液晶
２…遮蔽膜
５…バックライト装置
１０，１３…透明電極
１１，１４…配向膜
１２…突起
２０…対向基板
２１…カラーフィルタ
２２…遮蔽膜
３０…シール材
４０…アレイ基板
５０，５３…導光板
５１，５２…光源
６０…偏光板
【図１】
2008015254.tif 000003
【図２】
2008015254.tif 000004
【図３】
2008015254.tif 000005
【図４】
2008015254.tif 000006